(57)【特許請求の範囲】
【請求項１】
通常出水時においては流動する土石の流下を許可し、異常出水時においては流動する土石の流下を禁止する重力式コンクリートダムの透過型砂防堰堤において、
前記土石を下流側に透過させる複数のスリットを備え、前記土石の流下を遮るように敷設された無筋コンクリート造のコンクリート構造体と、
前記各スリットの上端部に設けられ、該スリットのスリット幅を一定に保持するスリット幅保持機構と
を有することを特徴とする透過型砂防堰堤。
【請求項２】
前記スリット幅保持機構は、
前記スリットを介して対向配置され、前記コンクリート構造体の側壁部の壁面に沿って設けられた鋼製の側壁型枠と、
前記コンクリート構造体の側壁部の一部を構成するように前記側壁型枠にコンクリートを打設して形成された第１間詰コンクリート部と、
前記側壁型枠間を一定の間隔に保持するように、これら側壁型枠同士を連結した補強機構と
を有することを特徴とする請求項１に記載の透過型砂防堰堤。
【請求項３】
前記補強機構は、
前記スリット幅方向に対して平行に設けられた鋼管製の第１補強部材と、
前記スリット幅方向の中心部で交差するように設けられた上面視Ｘ字形状の鋼管製の第２補強部材と
有することを特徴とする請求項２に記載の透過型砂防堰堤。
【請求項４】
前記補強機構は、前記スリット内の一部分を着脱可能にされていることを特徴とする請求項２または３に記載の透過型砂防堰堤。
【請求項５】
前記スリット幅保持機構は、
前記スリットを介して対向する前記コンクリート構造体の側壁部間に掛け渡された鋼製の連結型枠と、
前記コンクリート構造体の側壁部同士をコンクリートで連結するように、前記連結型枠にコンクリートを打設して形成された第２間詰コンクリート部と
を有することを特徴とする請求項１に記載の透過型砂防堰堤。
【請求項６】
前記コンクリート構造体は、既設の不透過型砂防堰提に複数のスリットを切欠くことにより形成されたものであることを特徴とする請求項１ないし５のいずれか１項に記載の透過型砂防堰堤。
【請求項７】
通常出水時においては流動する土石の流下を許可し、異常出水時においては流動する土石の流下を禁止する透過型砂防堰堤の製造方法において、
既設の重力式コンクリートダムの不透過型砂防堰提に複数のスリットを切欠いた後、これらスリットの上端部にスリット幅を一定に保持する間隔保持機構を設けることを特徴とする砂防堰提のスリット化方法。
【発明の詳細な説明】
【０００１】
【発明の属する技術分野】
本発明は、通常出水時においては流動する土石の流下を許可し、異常出水時においては流動する土石の流下を禁止する透過型砂防堰堤に関する。
【０００２】
【従来の技術】
以前においては、土石流が発生したときに、その規模に関係なく全ての土石流を堰き止める不透過型砂防堰提が主流を占めているが、近年においては、下流域に土砂が供給されないことによる河床の低下や海岸線の後退等の問題を不透過型砂防堰提が引き起こすため、異常出水時においてだけ土石流を堰き止め、通常時は土砂を下流に流下することが可能な透過型砂防堰堤が注目されている。
【０００３】
従来、上記の透過型砂防堰堤は、河川の中央部を開放するように、河川の両岸にコンクリート構造体をそれぞれ敷設した後、鋼板や鋼管、コンクリートブロック等を組み合わせて多数の通過口を備えるように形成された透過構造体をコンクリート構造体の開放部に設けることにより作成されている。そして、小規模および中規模の出水である通常出水時においては、流動する土石を透過構造体の通過口を介して流下させる一方、大規模の出水である異常出水時においては、透過構造体の全体で土石の流下を阻止するようになっている。
【０００４】
【発明が解決しようとする課題】
しかしながら、上記従来の透過型砂防堰堤では、鋼板や鋼管、コンクリートブロック等を組み合わせて多数の通過口を備えるように透過構造体を形成することが必要であるため、構造が複雑化し易いという問題がある。
【０００５】
また、従来、不透過型の砂防堰堤として、重力式コンクリートダムが多く用いられている。これは、無筋コンクリート造のダム本体の自重により水圧等の外力に抵抗しながら貯水機能を果たすように作られたダムである。上述した理由により、この重力式コンクリートダムを透過型砂防堰堤とするため、ダム本体にスリットが入れられたものとし、そのスリットから土石の透過を可能とすることが望まれている。また、既設の重力式コンクリートダムのダム本体を切欠いて、透過型砂防堰堤に改造しようという試みが行われている。
【０００６】
しかしながら、重力式コンクリートダムは無筋コンクリート造であるため、引張応力に抵抗することができない。このため、スリットを複数設け、スリットに挟まれた残存コンクリート部が形成された場合、スリット部に礫や流木が詰まると、スリットに挟まれた部分の残存コンクリート根元に引張応力が発生し、残存コンクリート部が横倒れする可能性がある。この現象を防止するためには、残存コンクリート部根元の断面を大きくする必要があり、結果、スリット本数、スリット設置間隔に制約を受け、透過型堰提の機能を充分発揮することができないという問題がある。
【０００７】
本発明は、前記課題に鑑みなされたものであり、簡易な構成であり、且つ本数及び設置間隔に制約を受けることなくスリットを設けることのできる透過型砂防堰堤及びその製造方法を提供することを目的とする。
【０００８】
【課題を解決するための手段】
前記課題を解決するための本発明の請求項１に記載の透過型砂防堰堤は、通常出水時においては流動する土石の流下を許可し、異常出水時においては流動する土石の流下を禁止する重力式コンクリートダムの透過型砂防堰堤において、前記土石を下流側に透過させる複数のスリットを備え、前記土石の流下を遮るように敷設された無筋コンクリート造のコンクリート構造体と、前記各スリットの上端部に設けられ、該スリットのスリット幅を一定に保持するスリット幅保持機構とを有することを特徴としている。
【０００９】
上記の構成において、無筋コンクリート造のコンクリート構造体におけるスリットで挟まれた部分は、根元断面が小さくスリット幅方向に横倒れし易い状態に形成されているが、スリットの上端部に設けられたスリット幅保持機構がスリット幅を一定に維持し、コンクリート構造体全体を一体化するため、横倒れが充分に防止される。そのため、複数のスリットを備えた無筋コンクリート造のコンクリート構造体であっても、実用上の安定性を充分確保したものとすることができる。また、このような透過型砂防堰堤は、スリットの形成されたコンクリート構造体と、スリットの上端部に設けられたスリット幅保持機構との簡単な構造で実現される。更に、本数及び設置間隔に制約を受けることなくスリットを設けることが可能になるため、透過型堰提のスリットによる効果を大きく発揮させることができる。
【００１０】
また、スリットの上端部に設けられたスリット幅保持機構の上を人が歩行することによって、透過型砂防堰堤を渡って対岸へ辿りつくことができる。更に、このような構成であれば、既設の重力式コンクリートダムの不透過型砂防堰提を容易に透過型砂防堰提に改造することができる。
【００１１】
請求項２に記載の透過型砂防堰堤は、請求項１において、前記スリット幅保持機構は、前記スリットを介して対向配置され、前記コンクリート構造体の側壁部の壁面に沿って設けられた鋼製の側壁型枠と、前記コンクリート構造体の側壁部の一部を構成するように前記側壁型枠にコンクリートを打設して形成された第１間詰コンクリート部と、前記側壁型枠間を一定の間隔に保持するように、これら側壁型枠同士を連結した補強機構とを有することを特徴としている。
【００１２】
上記の構成によれば、側壁型枠内にコンクリートを打設するのみの簡単な方法で、スリット幅保持機構を完成することができる。
【００１３】
請求項３に記載の透過型砂防堰堤は、請求項２において、前記補強機構は、前記スリット幅方向に対して平行に設けられた鋼管製の第１補強部材と、前記スリット幅方向の中心部で交差するように設けられた上面視Ｘ字形状の鋼管製の第２補強部材とを有することを特徴としている。
【００１４】
上記の構成によれば、スリット幅保持機構を、第１補強部材によりスリット幅方向に補強することができると共に、第２補強部材により土石流の流動方向に補強することができる。
【００１５】
請求項４に記載の透過型砂防堰堤は、請求項２又は３において、前記補強機構は、前記スリット内の一部分を着脱可能にされていることを特徴としている。
【００１６】
上記の構成によれば、スリットに流木や礫が詰まったときに、補強機構の一部を取外してスリットの上面を開放することによって、容易に流木や礫を除去することができる。
【００１７】
請求項５に記載の透過型砂防堰堤は、請求項１において、前記スリット幅保持機構は、前記スリットを介して対向する前記コンクリート構造体の側壁部間に掛け渡された鋼製の連結型枠と、前記コンクリート構造体の側壁部同士をコンクリートで連結するように、前記連結型枠にコンクリートを打設して形成された第２間詰コンクリート部とを有することを特徴としている。
【００１８】
上記の構成によれば、スリット幅保持機構とコンクリート構造体とを容易に一体化させることができる。
【００１９】
請求項６に記載の透過型砂防堰堤は、請求項１ないし５のいずれか１項において、前記コンクリート構造体は、既設の不透過型砂防堰提に複数のスリットを切欠くことにより形成されたものであることを特徴としている。
【００２０】
上記の構成によれば、既設の不透過型砂防堰提を、高い性能を備えた透過型砂防堰堤に容易に改造することができる。
【００２１】
請求項７に記載の透過型砂防堰堤の製造方法は、通常出水時においては流動する土石の流下を許可し、異常出水時においては流動する土石の流下を禁止する透過型砂防堰堤の製造方法において、既設の重力式コンクリートダムの不透過型砂防堰提に複数のスリットを切欠いた後、これらスリットの上端部にスリット幅を一定に保持する間隔保持機構を設けることを特徴としている。
【００２２】
上記の構成によれば、既設の不透過型砂防堰提を、高い性能を備えた透過型砂防堰堤に容易に改造することができる。
【００２３】
【発明の実施の形態】
以下、本発明の実施形態の一例を図1及び図２を参照しながら説明する。
【００２４】
図１に示すように、透過型砂防堰堤１は、スリット３・３が設けられたコンクリート構造体２と、スリット３・３の上端部に設けられたスリット保持機構４・４と、コンクリート構造体２の下流側に配設された水叩き部５とを備えている。
【００２５】
コンクリート構造体２は、土石の流動を遮るように河川の幅方向に敷設されている。コンクリート構造体２は、無筋コンクリート造であり、河川の幅方向両側に配設された側壁部２ａ・２ａと、スリット３・３に挟まれた残存部２ｂとを有している。
【００２６】
スリット３・３は、通常出水時には流動する土石を下流側に透過させ、異常出水時においては流動する土石の流下を禁止する。そして、異常出水状態から通常出水状態に変化すると、異常出水状態時に透過型砂防堰堤１の上流側に堆積させた土石等を下流側に徐々に流下させる。スリット３・３の幅（スリット幅）は、透過させる土石の最大礫径により決定される。尚、上端部にスリット保持機構が設けられるのであれば、スリット３は、２本に限定されるものではなく、３本以上であってもよい。スリット３は、透過型砂防堰堤の設置場所の、土石流の状態及び設置する目的に応じて数を決めればよい。また、スリット３・３の幅は、上下方向に変更されるものであってもよい。例えば、スリットの上部では幅が狭く、下部に向けて拡がるテーパー状であってもよい。このようにすると、スリットの上部においては径の小さい土石等を捕捉することが可能なものとすることができ、堰堤の土石捕捉機能がよい。また、スリットの下部では幅が狭く、上部に向けて拡がるテーパー状であってもよい。このようにすると、コンクリートの切り欠きが行い易く、施工性がよい。更に、用途・状況によっては、上部から中部までにしか切り欠きを行わないこともできる。
【００２７】
上記の各スリット３・３の上端部には、スリット幅を一定に保持するように、スリット保持機構４・４がそれぞれ設けられている。図２に示すように、スリット保持機構４は、側壁部２ａの壁面に沿って設けられた側壁型枠６と、側壁型枠６にコンクリートを打設して形成された第１間詰コンクリート部７と、側壁型枠６・６間を一定の間隔に保持するように、これら側壁型枠６・６同士を連結した補強機構１０とを備えている。
【００２８】
上記の補強機構１０は、鋼管製の第１補強部材８・８と、鋼管製の第２補強部材９とを備えている。第１補強部材８・８は、河川の流下方向断面の両端部にそれぞれ設けられており、軸芯がスリット幅方向に一致されている。一方、第２補強部材９は、２本の鋼管をスリット３の幅方向の中心で交差して上面視Ｘ字形状を呈するように接合することにより形成されている。これらの第１補強部材８および第２補強部材９は、スリット３の幅方向の長さよりも長尺に設定されており、両端部が側壁型枠６に固定されている。これにより、補強機構１０は、第１補強部材８によりコンクリート構造体２の特に残存部２ｂをスリット幅方向に補強するようになっていると共に、第２補強部材９によりコンクリート構造体２の特に残存部２ｂを土石流の流動方向（スリット３の厚み方向）に補強するようになっている。
【００２９】
上記のように構成されたコンクリート構造体２の下流側には、水叩き部５が設けられている。水叩き部５は、両スリット３・３の配設間隔よりも大きな幅を有しており、両端部が側壁部２ａにおいて上方に曲折されている。そして、水叩き部５は、コンクリート構造体２から越流・透過する落下水を受け止め、下流に流すようになっている。
【００３０】
上記の構成において、透過型砂防堰堤１の製造方法について説明する。尚、以降の説明においては、既存の重力式コンクリートダムの不透過型砂防堰提を改造することにより透過型砂防堰堤１を製造する場合について説明する。
【００３１】
先ず、透過型砂防堰堤１の設置場所における雨量の程度や地盤の状態、過去の土石流の発生状況を調査する。そして、小規模や中規模の雨量による通常出水時における土石流の状態と、大規模の雨量による異常出水時における土石流の状態とを把握し、異常出水時の土石流で流される土石や瓦礫の最大礫径を推定する。尚、通常出水とは、透過型砂防堰堤１から土石を流下させても流下側の地域に問題を発生させることがない規模の出水を意味し、異常出水とは、透過型砂防堰堤１から土石を流下させると、流下側の地域に問題を発生させる規模の出水を意味する。
【００３２】
この後、上記のようにして推定した最大礫径を捕捉サイズとし、この捕捉サイズ以上の土石等についてはスリット３で流下を禁止し、捕捉サイズ未満の土石等についてはスリット３からの流下を許可するように、スリット幅を決定する。さらに、スリット幅に基づいて１スリット当りの流下能力を求め、中規模の雨量による通常出水時において洪水状態とならないように、スリット３の設置数を求める。尚、スリット３の設置数は、各種の条件を加味して決定する。
【００３３】
次に、図１に示すように、既設の重力式コンクリートダムの不透過型砂防堰提の、無筋コンクリート造のコンクリート構造体２から一部のコンクリートを除去することによって、上記のようにして決定したスリット幅および設置数でもってスリット３を形成する。この後、図２に示すように、スリット３を挟んで対向する各側壁部の上端部を切欠いて長方体形状の切欠き部を形成し、各切欠き部に側壁型枠６を載置すると共に、両側壁型枠６・６を補強機構１０で連結する。この後、このようにして形成されたコンクリート構造体２の切欠き部と側壁型枠６とで囲まれた空間部にコンクリートを充填することによって、コンクリート構造体２と補強機構１０とを強固に連結する。これにより、既設の不透過型砂防堰提が高い性能を備えた透過型砂防堰堤１に改造されることになる。尚、上記の説明においては、既設の不透過型砂防堰提から透過型砂防堰堤１を製造する場合について説明したが、透過型砂防堰堤１を新規に製造しても良い。
【００３４】
次に、上記のようにして製造された透過型砂防堰堤１の動作について説明する。
【００３５】
雨や雪解け水等により出水が起ると、この出水により土石や礫、木が押し流されて土石流が発生する。このような異常出水時において、土石流が透過型砂防堰堤１に流動すると、透過型砂防堰堤１に設けられたスリット３の土石の流下能力を超えてしまう。そうすると、透過型砂防堰堤１上流側にて土石は堰止められ、堆積される。この時、堆積される土石の量は、スリット３の幅及び本数を調節することにより、予め計画し設定されている。そして、異常出水状態から通常出水状態に変化すると、透過型砂防堰堤１上流側に堆積された土石のスリット３による捕捉サイズより小さいものは、徐々にスリット３を通過し、下流側に流下されていく。
【００３６】
このような動作により、小規模および中規模の出水である通常出水時においては、流動する土石を透過型砂防堰堤１のスリット３を介して流下させ、大規模の出水である異常出水時においては、透過型砂防堰堤１の全体で土石の流下を阻止するようになっている。そのため、透過型砂防堰堤１の下流域にて河床の低下や海岸線の後退等を引き起こすことがなく、且つ、大規模な土石流が発生しても、ある程度の量の土石が一旦堰止められるため、下流側への地域に問題を発生させる出水となることがない。
【００３７】
以上示したように、本実施形態の透過型砂防堰堤１は、通常出水時においては流動する土石の流下を許可し、異常出水時においては流動する土石の流下を禁止する重力式コンクリートダムの透過型砂防堰堤において、土石を下流側に透過させる複数のスリット３を備え、土石の流下を遮るように敷設された無筋コンクリート造のコンクリート構造体２と、各スリット３の上端部に設けられ、該スリット３のスリット幅を一定に保持するスリット幅保持機構４とを有する。
【００３８】
これにより、無筋コンクリート造のコンクリート構造体２におけるスリット３で挟まれた残存部２ｂは、根元断面が小さくスリット幅方向に横倒れし易い状態に形成されているが、スリット３の上端部に設けられたスリット幅保持機構４がスリット幅を一定に維持し、コンクリート構造体２全体を一体化するため、横倒れが充分に防止される。そのため、複数のスリット３を備えた無筋コンクリート造のコンクリート構造体２であっても、実用上の安定性を充分確保したものとすることができる。また、このような透過型砂防堰堤１は、スリット３の形成されたコンクリート構造体２と、スリット３の上端部に設けられたスリット幅保持機構４との簡単な構造で実現される。更に、本数及び設置間隔に制約を受けることなくスリットを設けることが可能になるため、透過型堰提１のスリット３による効果を大きく発揮させることができる。
【００３９】
また、スリット３の上端部に設けられたスリット幅保持機構４の上を人が歩行することによって、透過型砂防堰堤１を渡って対岸へ辿りつくことができる。更に、このような構成であれば、既設の重力式コンクリートダムの不透過型砂防堰提を容易に透過型砂防堰提１に改造することができる。
【００４０】
尚、本実施形態においては、スリット３を挟んで対向する各側壁部２ａ・２ａの上端部を切欠いて長方体形状の切欠き部を形成した場合について説明したが、これに限定されるのもではない。即ち、コンクリート構造体２を切り欠かないものであってもよい。例えば、スリットの幅の長さを有する鋼製の棒材をスリットの上端部に設けることでコンクリート構造体を一体化するものであってもよい。または、スリット幅よりも長さを有する鋼板を、コンクリート構造体の側壁部と残存部の上面にスリットを介して掛け渡し、その上面からボルト等で固定するものであってもよい。この場合、鋼板の上を人が歩行したり、車が走行したりすることが可能である。
【００４１】
また、スリット幅保持機構４は、スリット３を介して対向配置され、コンクリート構造体２の側壁部２ａの壁面に沿って設けられた鋼製の側壁型枠６と、コンクリート構造体２の側壁部２ａの一部を構成するように側壁型枠６にコンクリートを打設して形成された第１間詰コンクリート部７と、側壁型枠６間を一定の間隔に保持するように、これら側壁型枠６同士を連結した補強機構１０とを有する。これにより、側壁型枠６内にコンクリートを打設するのみの簡単な方法で、スリット幅保持機構４を完成することができる。
【００４２】
尚、本実施形態においては、第１間詰コンクリート部７が形成される側壁型枠６と、側壁型枠６・６の間に設けられる補強機構１０によりスリット幅補強機構４が形成される場合について説明したが、これに限定されるものではない。即ち、図３に示すように、スリット３を介して対向するコンクリート構造体２の側壁部２ａと残存部２ｂとの間に掛け渡された鋼製の連結型枠２６と、コンクリート構造体２の側壁部２ａ同士をコンクリートで連結するように、連結型枠２６にコンクリートを打設して形成された第２間詰コンクリート２７とを有する補強機構２０であってもよい。これにより、補強機構２０とコンクリート構造体２とを容易に一体化させることができる。また、この時、スリット３上端部は、コンクリートによって連結されると共に、鋼製の枠によっても連結されるため、スリット３幅方向に働く外力が引張力であっても圧縮力であっても耐えることができ、確実に透過型砂防堰堤全体を一体化することができる。
【００４３】
また、補強機構１０は、スリット３幅方向に対して平行に設けられた鋼管製の第１補強部材８と、スリット３幅方向の中心部で交差するように設けられた上面視Ｘ字形状の鋼管製の第２補強部材９とを有する。これにより、スリット幅保持機構４を、第１補強部材８によりスリット３幅方向に補強することができると共に、第２補強部材９により土石流の流動方向に補強することができる。
【００４４】
尚、本実施形態においては、補強機構１０全体が側壁型枠６に固定された場合について説明したが、これに限定されるものではない。即ち、補強部材１０は、スリット３内の一部分を着脱可能にされているものであってもよい。
【００４５】
例えば、図４に示すように、補強機構２０は、第１補強部材１８と、第２補強部材１９とを備えている。第１補強部材１８は、スリット３幅方向中央部の取外し部１８ａと、側壁型枠１６に固定されたスリット３幅方向両端の取付け部１８ｂ・１８ｂとを備えている。取外し部１８ａの上面には、掴み部１８ｃが設けられている。取外し部１８ａの両端の断面は、スリット３幅方向に上に向かって広がるテーパー面をなす。これにより、上方からの取外しが容易となる。取外し部１８ａは、取付け部１８ｂ・１８ｂの間に、ボルトやビス等により固定されている。このボルトやビス等を緩め、掴み部１８ｃ・１８ｃを把持して持ち上げることで、取外し部１８ａは取付け部１８ｂ・１８ｂに対して着脱可能となっている。
【００４６】
第２補強部材１９も同様に、スリット３幅方向中央部の取外し部１９ａと、側壁型枠１６に固定されたスリット３幅方向両端の取付け部１９ｂ・１９ｂとを備えている。取外し部１９ａの上面には、掴み部１９ｃ、１９ｃが設けられている。これにより、スリット３に流木や礫が詰まったときに、補強機構の一部を取外してスリット３の上面を開放することによって、容易に流木や礫を除去することができる。
【００４７】
【発明の効果】
以上説明したように、請求項１の発明によると、無筋コンクリート造のコンクリート構造体におけるスリットで挟まれた部分は、根元断面が小さくスリット幅方向に横倒れし易い状態に形成されているが、スリットの上端部に設けられたスリット幅保持機構がスリット幅を一定に維持し、コンクリート構造体全体を一体化するため、横倒れが充分に防止される。そのため、複数のスリットを備えた無筋コンクリート造のコンクリート構造体であっても、実用上の安定性を充分確保したものとすることができる。また、このような透過型砂防堰堤は、スリットの形成されたコンクリート構造体と、スリットの上端部に設けられたスリット幅保持機構との簡単な構造で実現される。更に、本数及び設置間隔に制約を受けることなくスリットを設けることが可能になるため、透過型堰提のスリットによる効果を大きく発揮させることができる。
【００４８】
また、スリットの上端部に設けられたスリット幅保持機構の上を人が歩行することによって、透過型砂防堰堤を渡って対岸へ辿りつくことができる。更に、このような構成であれば、既設の重力式コンクリートダムの不透過型砂防堰提を容易に透過型砂防堰提に改造することができる。
【００４９】
請求項２の発明によると、側壁型枠内にコンクリートを打設するのみの簡単な方法で、スリット幅保持機構を完成することができる。
【００５０】
請求項３の発明によると、スリット幅保持機構を、第１補強部材によりスリット幅方向に補強することができると共に、第２補強部材により土石流の流動方向に補強することができる。
【００５１】
請求項４の発明によると、スリットに流木や礫が詰まったときに、補強機構の一部を取外してスリットの上面を開放することによって、容易に流木や礫を除去することができる。
【００５２】
請求項５の発明によると、スリット幅保持機構とコンクリート構造体とを容易に一体化させることができる。
【００５３】
請求項６の発明によると、既設の不透過型砂防堰提を、高い性能を備えた透過型砂防堰堤に容易に改造することができる。
【００５４】
請求項７の発明によると、既設の重力式コンクリートダムの不透過型砂防堰提を、高い性能を備えた透過型砂防堰堤に容易に改造することができる。
【図面の簡単な説明】
【図１】透過型砂防堰堤の斜視図である。
【図２】透過型砂防堰堤のスリット保持機構の拡大図である。
【図３】透過型砂防堰堤の他のスリット保持機構の拡大図である。
【図４】透過型砂防堰堤の他のスリット保持機構の拡大図である。
【符号の説明】
１  透過型砂防堰堤
２  コンクリート構造体
２ａ  側壁部
２ｂ  残存部
３  スリット
４  スリット保持機構
５  水叩き部
【図１】
0003824930.tif 000002
【図２】
0003824930.tif 000003
【図３】
0003824930.tif 000004
【図４】
0003824930.tif 000005